(57)【特許請求の範囲】
【請求項１】
記録媒体の挿入および抜去が可能な記録媒体着脱装置であって、
前記記録媒体の挿入を可能にする開口部と挿入を禁止する遮蔽部とが一体的に設けられた開閉部材と、
前記開閉部材を回動可能に保持するガイド機構と、
前記開閉部材を前記ガイド機構に沿って回動させることで、前記開口部を前記遮蔽部の位置に移動させる移動手段と、
挿入された前記記録媒体と電気的に接続可能であって、該接続された記録媒体に対して信号の授受が可能であり、挿入された方向に移動することで該接続された記録媒体を自装置の内部に取り込む信号授受手段と、
前記信号授受手段上に回動可能に設けられた規制ピンと、
前記規制ピンと係合可能であり、自装置に固定されている規制面と、を備え、
前記信号授受手段は、前記開閉部材の可動範囲の外の範囲で移動可能であり、
前記記録媒体が前記信号授受手段の所定の位置に配置されるまで、前記規制ピンと前記規制面とが係合することにより、前記記録媒体の挿入に対して所定の負荷にて前記信号授受手段の移動を規制し、前記記録媒体が前記信号授受手段の所定の位置に配置された時に、前記規制ピンと前記規制面との係合が解除されることで、前記規制を解除する、
記録媒体着脱装置。
【発明の詳細な説明】
【０００１】
【発明の属する技術分野】
本発明は、ビデオカメラやデジタルスチルカメラ等などに使用するメモリーカードを挿入／取り出しするための記録媒体着脱装置に関するものである。
【０００２】
【従来の技術】
近年、ビデオカメラやデジタルスチルカメラなどにおいては、小型のメモリーカードを搭載して静止画や動画などを記録／再生する機能が付加されてきている。このような趣味に多く使用する機器については、特に操作性や、小型化と品格・デザインに対する要求が高く、メモリーカードを挿入／取り出しする記録媒体着脱装置についても操作性や小型化、品格・デザインの向上が重要な課題となっている。また、不用意に破損しにくいことも重要な課題である。
【０００３】
以下に従来の記録媒体着脱装置について説明する。
【０００４】
図１６および図１７は従来の記録媒体着脱装置を示したものである。図１６は記録媒体であるメモリーカードの挿入時、図１７はメモリーカードの排出時の動作を、それぞれ示した模式図である。図１６に示すように、筐体２には、カード扉３が開く方向（点線矢印）に弾性的に付勢されつつ、回動可能に保持されている。記録媒体であるメモリーカード１を挿入して電気的接続を行うカードコネクタ４は、筐体２に固定されている（固定方法は図示せず。）。カード扉３は操作つまみ５と連動したロック機構（図示せず）により、閉じた状態に保持されている。カード扉３の開閉の状態を検知するための検出ＳＷ６はカードコネクタ４に固定されているが、このときはカード扉３に押されて、カード扉３が閉じていることを検出している。
【０００５】
以上のように構成された従来の記録媒体着脱装置について、その動作を説明する。
【０００６】
図１６の▲１▼に示すように、操作つまみ５をスライドさせると、ロック機構が解除され、点線矢印Ａのようにカード扉３が開く。このとき、カード扉３は検出ＳＷ６から離れるので、カード扉３が開いていることを検出できる。この検出ＳＷ６の信号により、カード扉３が開いている間は、メモリーカード１への信号の授受を電子回路（図示せず）で禁止することができるので、メモリーカード１の挿入途中において接触不良となり、メモリーカード１に記録されたデータを破壊してしまうことを回避できる。なお、カード扉３と連動したロック機構により、操作つまみ５の位置もスライド後の位置に保持される。
【０００７】
この状態で、次に図１６の▲２▼に示すように、メモリーカード１を矢印Ｂ方向へ挿入する。
【０００８】
図１６の▲３▼に示すように、メモリーカード１を正規の位置まで挿入した後、カード扉３を矢印Ｃ方向へ回動させて閉じる。このとき、カード扉３に連動したロック機構が動作して操作つまみ５を初期の位置まで復帰させる（図１６の▲４▼）。
【０００９】
カード扉３を閉じた時点では検出ＳＷ６を押しているが、メモリーカード１を挿入／抜去できないので、前記のような接触不良の危険が無い。このため、メモリーカード１への信号授受を許可できる。
【００１０】
次に、メモリーカード１の取り出し時は、図１７の▲１▼に示すように、操作つまみ５をスライドさせると、ロック機構が解除され、点線矢印Ａ方向へカード扉３が開く。このとき、カード扉３は検出ＳＷ６から離れるので、カード扉３が開いていることを検出できる。この検出ＳＷ６の信号により、カード扉３が開いている間は、メモリーカード１への信号の授受を電子回路（図示せず）で禁止することができるので、メモリーカード１の抜去途中において接触不良となり、メモリーカード１に記録されたデータを破壊してしまうことを回避できる。なお、かード扉３と連動したロック機構により、操作つまみ５の位置もスライド後の位置に保持される。この状態で、図１７の▲２▼に示すようにメモリーカード１を矢印Ｄ方向へ抜き取る。
【００１１】
図１７の▲３▼に示すようにメモリーカード１を抜き取った後、カード扉３を矢印Ｃ方向へ回動し閉じる（図１７の▲４▼）。このとき、カード扉３に連動したロック機構が動作して操作つまみ５を初期の位置まで復帰させる。カード扉３を閉じた時点では検出ＳＷ６を押しているが、メモリーカード１は入っていないのでメモリーカード１に記録されたデータを破壊する危険はない。
【００１２】
【発明が解決しようとする課題】
しかしながら上記従来の構成では、図１６に示すメモリーカード１の挿入時には、先ずカード扉３を開けてからメモリーカード１を挿入する必要があり、操作性が良くなかった。
【００１３】
また、カード扉３が大きくて機器全体の小型化の障害となり、カード扉３を開いたときの見栄えなど、デザイン的にも制約の有るものとなっていた。
【００１４】
更に、メモリーカード１を確実に正規の位置まで挿入しないとカード扉３を閉じることができず、また、メモリーカード１が正規の位置まで挿入されていない状態で、無理に閉じようとするとメモリーカード１や記録媒体着脱装置を破損する恐れがあった。
【００１５】
またカード扉３を開いたときに、カード扉３が使用者の体などに不用意に引っ掛けてしまう恐れがあり、カード扉３を破損してしまう恐れがあった。
【００１６】
本発明は前記課題を解決するもので、操作性が良く、小型で品格・デザイン性にも優れ、また不用意な破損も防止できる記録媒体着脱装置を提供することを目的とする。
【００１７】
【課題を解決するための手段】
この目的を達成するために本発明の記録媒体着脱装置は、記録媒体を挿入および抜去が可能な記録媒体着脱装置であって、前記記録媒体の挿入を可能にする開口部と挿入を禁止する遮蔽部とを有する開閉部材と、前記開閉部材を移動可能に保持するガイド機構と、前記ガイド機構には前記記録媒体が装着された際に前記開閉部材の前記開口部を前記遮蔽部の位置に移動する移動手段とを有している。
【００１８】
この構成によって、操作性が良く、小型で品格・デザイン性に優れ、また不用意な破損も防止できる記録媒体着脱装置を提供することを目的とする。
【００１９】
【発明の実施の形態】
本発明の請求項１に記載の発明は、記録媒体を挿入および抜去が可能な記録媒体着脱装置であって、前記記録媒体の挿入を可能にする開口部と挿入を禁止する遮蔽部とを有する開閉部材と、前記開閉部材を移動可能に保持するガイド機構と、前記ガイド機構には前記記録媒体が装着された際に前記開閉部材の前記開口部を前記遮蔽部の位置に移動する移動手段とを具備したものであり、操作性が良く、小型で品格・デザイン性に優れ、また不用意な破損も防止できる記録媒体着脱装置を提供することができるという作用を有する。
【００２０】
本発明の請求項２に記載の発明は、上記の構成に係る記録媒体着脱装置であって、前記開口部には、前記記録媒体の挿入時に前記記録媒体に押圧されて開放する遮蔽部材を備えたものであり、操作性が良く、小型で品格・デザイン性に優れ、また不用意な破損も防止できる記録媒体着脱装置を提供することができるという作用を有する。
【００２１】
本発明の請求項３に記載の発明は、記録媒体を挿入および抜去が可能な記録媒体着脱装置であって、前記記録媒体の挿入を可能にする開口部と挿入を禁止する遮蔽部とを有する開閉部材と、前記記録媒体が着脱自在で、前記記録媒体に対して信号の授受を行う信号授受手段と、前記信号授受手段を前記記録媒体の挿入位置と排出位置との間で移動可能に保持するとともに、前記開閉部材を移動可能に保持するガイド機構と、前記記録媒体が前記信号授受手段の所定の位置に配置されるまで前記記録媒体の挿入に対して所定の負荷にて前記信号授受手段の移動を規制し、前記記録媒体が前記信号授受手段の所定の位置に配置された時に前記規制を解除する挿入規制機構と、前記ガイド機構には前記記録媒体が前記信号授受手段の所定の位置に配置された時に前記開閉部材の前記開口部を前記遮蔽部の位置に移動する移動手段とを具備したものであり、操作性が良く、小型で品格・デザイン性に優れ、また不用意な破損も防止できる記録媒体着脱装置を提供することができるという作用を有する。
【００２２】
本発明の請求項４に記載の発明は、上記の構成に係る記録媒体着脱装置であって、前記開口部には、前記記録媒体の挿入時に前記記録媒体に押圧されて開放する遮蔽部材を備えたものであり、操作性が良く、小型で品格・デザイン性に優れ、また不用意な破損も防止できる記録媒体着脱装置を提供することができるという作用を有する。
【００２３】
本発明の請求項５に記載の発明は、上記の構成に係る記録媒体着脱装置であって、前記開閉部材は、透明な部材であるものであり、操作性が良く、小型で品格・デザイン性に優れ、また不用意な破損も防止できる記録媒体着脱装置を提供することができるという作用を有する。
【００２４】
本発明の請求項６に記載の発明は、上記の構成に係る記録媒体着脱装置であって、前記開閉部材の近傍に配された発光手段を具備したものであり、操作性が良く、小型で品格・デザイン性に優れ、また不用意な破損も防止できる記録媒体着脱装置を提供することができるという作用を有する。
【００２５】
以下、本発明の実施の形態について、図面を用いて説明する。
【００２６】
（実施の形態１）
図１および図２は実施の形態１の記録媒体着脱装置の全体斜視図を示したものであり、１０１は記録媒体であるメモリーカード、１００は記録媒体着脱装置で、メモリーカード１０１は記録媒体着脱装置１００に対して図１の矢印Ｅのように挿入され、取り出すときは図２の矢印Ｆのように排出される。なお、メモリーカード１０１は、カードＦＰＣ１１６に実装した信号授受手段であるカードコネクタ１１６ａに挿着される。
【００２７】
次に、詳しい構成について説明する。
【００２８】
図３から図１１は各部の詳細な構成を示す斜視図である。図３（ｂ）のようにガイド機構の土台となるベースフレーム１０２には、円筒形状の開閉部材を回動させるドラム駆動金具１０３を、そのガイド溝１０３ａに挿入して固定したガイド軸１０４により、スライド可能に保持している。メモリーカード１０１を挿入し、本体内の電子回路（図示せず）と電気的に接続し、信号の授受を行う記録媒体コネクタであるカードコネクタ１１６ａを実装したカードＦＰＣ１１６を保持するホルダー金具１０５には、ベースフレーム１０２に設けた案内溝１０２ａによって移動方向を規制され、案内されるホルダーガイド軸１０６を固定している。また、ベースフレーム１０２には、カード１０１の挿入時に所定の付加でホルダー金具１０５の移動を規制する規制面１０２ｂを設けている。また、メモリーカード１０１の挿入時におけるホルダー金具１０５の移動を所定の位置に規制するためのストッパー部１０２ｌを設けている。
【００２９】
次に図４のように、ストッパーレバー１０７には、規制面１０２ｂに当接する規制ピン１０８と、挿入されたカード１０１に押されて規制を解除する規制解除ピン１０９を固定し、これをレバー回動軸１１１にてストッパーアングル１１０に回動可能に保持している。そして、ストッパーレバー１０７を規制面１０２ｂの方向に付勢するストッパーレバーバネ１１２を、レバーフック１０７ａとアングルフック１１０ａに掛け渡している。このようにして挿入規制機構を構成している。
【００３０】
なお、ストッパーアングル１１０には、メモリーカード１０１の挿入時において、ベースフレーム１０２に設けたストッパー部１０２ｌに当接してホルダー金具１０５の移動を所定の位置に規制するためのストッパー面１１０ｃを設けている。
【００３１】
次に図５のように、メモリーカード１０１を挿入する開口部１１３ａと挿入したメモリーカード１０１を隠す遮蔽部１１３ｂとを有する円筒形状の開閉部材であるドラム１１３には、１対の回動軸孔１１３ｃを設けている。本実施の形態では、ドラム１１３の材料として、透明でかつ青色（クリアブルー）に着色したポリカーボネート樹脂を使用したが、他の色であってもよい。このドラム１１３は、開口部１１３ａが外部から目視可能な第１の位置と、遮蔽部１１３ｂが外部から目視可能な第２の位置とに移行可能なように設けられている。
【００３２】
メモリーカード１０１を挿入する開口部１１３ａを遮蔽／開放する遮蔽部材であるブラインダー１１４には、１対のブラインダー回動軸１１４ａを設けている。ブラインダー１１４の材料には、青色に着色されたＡＢＳ樹脂を使用し、メモリーカード１０１の挿入口であることを示す印刷を施している。
【００３３】
ブラインダー１１４は、これを遮蔽方向に付勢するブラインダーバネ１１５をそのブラインダー回動軸１１４ａに挿入し、ブラインダー回動軸１１４ａを回動軸孔１１３ｃに嵌合させて、ドラム１１３に回動可能に組み付ける。
【００３４】
次に図６のように、カードＦＰＣ１１６に設けた爪（図示せず）をホルダー金具１０５に設けた嵌合孔１０５ａに挿入し、嵌合爪部１０５ｂおよび規制爪部１０５ｃに側面を嵌合させて固定する。そして、このホルダー金具１０５を移動させるホルダー駆動金具１１７をあらかじめベースフレーム１０２に置いた後、このホルダー駆動金具１１７をホルダー金具１０５との間に挟むように取り付けている。取り付けは、案内溝１０２ａの一端に設けた挿入部１０２ｃにてホルダーガイド軸１０６を挿入して行う。ホルダー駆動金具１１７には、操作つまみ（図示せず）に固定した操作爪（図示せず）に嵌合する操作爪嵌合孔１１７ａを設けている。
【００３５】
また、メモリーカード１０１の排出操作時には、ホルダー金具１０５に設けた取り出し当接部１０５ｄと当り、メモリーカード１０１の排出位置においては同じくホルダー金具１０５に設けたつまみ位置規制部１０５ｅと当接して操作つまみ位置をメモリーカード１０１の排出位置に保持するためのホルダー係合部１１７ｂを、ホルダー駆動金具１１７に設けている。
【００３６】
更に、ホルダー駆動金具１１７には、メモリーカード１０１の挿入操作時にドラム駆動金具１０３の当接部１０３ｂに当接することにより、これを確実に移動させるためのドラム駆動金具係合爪１１７ｃを設けている。
【００３７】
次に図７のように、ホルダー金具１０５をメモリーカード１０１の挿入位置あるいは排出位置に反転付勢する反転付勢部材であるトグルバネ１１８は、その一端１１８ａをホルダー金具１０５に設けたトグルバネ孔１０５ｆに挿入し、他方の環状部１１８ｂをベースフレーム１０２に設けたバネ掛け部１０２ｄに引っ掛けて取り付けている。このようにして、カードコネクタ１１６ａをメモリーカード１０１の挿入位置と排出位置の間で移動可能に保持するとともに、それぞれの位置に反転付勢するトグルバネ１１８を有するガイド機構が構成される。
【００３８】
次に図８のように、前記のごとく挿入規制機構を成すストッパーアングル１１０を、アングル固定ビス１１９にてホルダー金具１０５に固定している。このとき、挿入規制機構とカードコネクタ１１６ａとの位置精度を確保するために、位置決め孔１１６ｂと位置決め凸部１１０ｂを嵌合させて固定している。
【００３９】
メモリーカード１０１の挿入状態を検出する検出ＳＷ１１６ｃは、ＳＷ固定ビス１２０によりベースフレーム１０２に固定している。
【００４０】
ホルダー金具１０５には、記録媒体着脱装置１００へのメモリーカード１０１の挿入完了状態において検出ＳＷ１１６ｃを押すためのＳＷ操作部１０５ｇを設けている。
【００４１】
ベースフレーム１０２には、１対のドラム軸孔１０２ｅを設けている。これに、ドラム１１３に設けた１対のドラム回動軸１１３ｄをそれぞれ挿入することにより、ドラム１１３をベースフレーム１０２に回動可能に保持している。
【００４２】
なお、メモリーカード１０１を挿入する際、メモリーカード１０１をカードコネクタ１１６ａに正しく導くため、ベースフレーム１０２には規制壁１０２ｋを、ドラム１１３には規制斜面１１３ｈを、それぞれ設けている。
【００４３】
次に図９のように、ドラム１１３を回転付勢するドラムリターンバネ１２１のコイル部をドラム回動軸１１３ｄに挿入し、その一端をドラム１１３に設けたドラムバネ孔１１３ｅに引っ掛け、他端をフレームバネ孔１０２ｆに引っ掛けている。このとき、ドラム１１３はドラム駆動金具１０３のピン当接面１０３ｃとドラム駆動ピン１１３ｇが当接するように回転方向に付勢されている。
【００４４】
なお、ドラム１１３には回転ストッパー部１１３ｆを設け、これに対してベースフレーム１０２にはストッパー面１０２ｇを設けている。これはメモリーカード１０１の排出操作時に、ドラム駆動金具１０３によりドラム１１３がドラムリターンバネ１２１の付勢方向と逆に回動するとき、開口部１１３ａを正規の位置に保持するための位置規制である。
【００４５】
カバー１２２は、その係合爪１２２ａをベースフレーム１０２のカバー係合孔１０２ｈに、同様に係合孔１２２ｂを係合爪１０２ｉに、それぞれ係合させ、カバー固定ビス１２３にてベースフレーム１０２に固定される。
【００４６】
次に図１０のように、ドラム駆動金具１０３を駆動するためのドラム駆動金具バネ１２４を、その一端をドラム駆動金具１０３のドラム駆動バネフック１０３ｄに、他端をホルダー駆動金具１１７のホルダーバネフックＡ１１７ｄにそれぞれ掛けて保持している。また、メモリーカード１０１の挿入時にホルダー駆動金具１１７を正規の位置に移動させるためのホルダー駆動金具バネ１２５を、その一端をホルダー駆動金具１１７のホルダーバネフックＢ１１７ｅに、他端をベースフレームに設けたフレームバネフック１０２ｊにそれぞれ掛けて弾性保持している。
【００４７】
以上のように構成された本実施の形態の記録媒体着脱装置について、図１１から図１６を用いて、その動作を説明する。
【００４８】
図１１はメモリーカード１０１の挿入操作を説明したもの、図１２はメモリーカード１０１の排出操作を説明した模式図である。
【００４９】
先ず、メモリーカード１０１の挿入操作について説明する。図１１の▲１▼のように、外部から目視可能な状態となっている開口部１１３ａに、メモリーカード１０１を矢印Ｇ方向へ挿入する。このとき、ブラインダー１１４はメモリーカード１０１に押されて矢印Ｐ方向へ回動する。また、カードコネクタ１１６ａは、既に述べたようにトグルバネ１１８の反力により、メモリーカード１０１の排出方向に付勢されている。
【００５０】
図１１の▲１▼の状態からメモリーカード１０１を更に押し込むと、図１１の▲２▼に示すように電気的接続が可能な正規の位置までカードコネクタ１１６ａに挿入される。そして、図１１の▲３▼に示すように、更にトグルバネ１１８の反力に逆らってメモリーカード１０１を矢印Ｈ方向へ押し込むと、トグルバネ１１８の負荷が反転し、カードコネクタ１１６ａと共にメモリーカード１０１が装置内へ引きこまれる。このとき、ホルダー駆動金具１１７と連結されている操作つまみ１２６も、矢印Ｍのようにメモリーカード１０１の挿入位置に対応した位置まで復帰移動する。
【００５１】
引きこまれた状態では、ホルダー金具１０５のＳＷ操作部１０５ｇがＳＷ１１６ｃを押しており、メモリーカード１０１が挿入されていることを検知する。またドラム１１３は、図１１の▲３▼の矢印Ｉに示すようにドラムリターンバネ１２１によって回動し、図１１の▲４▼のように遮蔽部１１３ｂがメモリーカード１０１を、外部から目視できないように覆い隠す。
【００５２】
次に、メモリーカード１０１の排出操作について説明する。
【００５３】
図１２の▲１▼のように、操作つまみ１２６をメモリーカード１０１の排出方向（矢印Ｎ方向）にスライドさせると、これに連結されたホルダー駆動金具１１７が移動し、これにドラム駆動金具バネ１２４で弾性的に連結されたドラム駆動金具１０３が、開口部１１３ａからメモリーカード１０１が排出可能な位置までドラム１１３を回動させ（矢印Ｊ）、図１２の▲２▼のようになる。開口部１１３ａの位置は、既に説明したように、回転ストッパー部１１３ｆとストッパー面１０２ｇの当接にて、正規の位置以上に回動しないように規制されている。
【００５４】
図１２の▲２▼の状態から更に操作つまみ１２６をスライドさせると（矢印Ｏ）、矢印Ｋ方向へホルダー駆動金具１１７のホルダー係合部１１７ｂがホルダー金具１０５をメモリーカード１０１の排出方向に移動させる。
【００５５】
トグルバネ１１８の反力に逆らって更に操作つまみ１２６をスライドさせると、トグルバネ１１８の負荷が反転し、図１２の▲３▼のようにカードコネクタ１１６ａと共にメモリーカード１０１が排出方向に押し出される。この状態では、ホルダー金具１０５のＳＷ操作部１０５ｇがＳＷ１１６ｃから離れるので、メモリーカード１０１が排出されていることを検知できる。
【００５６】
この状態で、図１２の▲４▼に示すようにメモリーカード１０１をつかみ、矢印Ｌ方向へ引きぬくと、ブラインダー１１４が矢印Ｑのように回動し、開口部１１３ａを塞ぐ。
【００５７】
このように、メモリーカード１０１の挿入時は、従来のようにカード扉を開く必要がなく、ただメモリーカード１０１を差し込むだけで済む。また、メモリーカード１０１を挿入すると、途中から自動的に引き込み、ドラム１１３が自動的に回動して遮蔽されるので、従来のようにカード扉を閉じる必要も無いので、従来よりも格段に操作性が良い。また、このように引き込まれて確実に挿入されるので、従来のようにカード扉や記録媒体着脱機構を破損する恐れも無い。また、円筒形の部材が回動する構成のため、メモリーカード１０１の挿入／抜去時に、従来のようにカード扉が大きく張り出すことが無いので、不用意に破損することも無いし、機器の小型化にも貢献できる。
【００５８】
なお、実施の形態１では、開口部１１３ａを遮蔽してメモリーカード１０１や内部の機構が見える事を防止するためにブラインダー１１４を設けたが、これが無くても操作性が良好であることに変わりはない。
【００５９】
図１３から図１５は、挿入規制機構の動作を説明したものである。図１３はメモリーカード１０１の排出状態を示しており、同図（ａ）は上面図、同図（ｂ）は側面図を示している。
【００６０】
メモリーカード１０１を挿入する際、メモリーカード１０１の端子と電気的に接続するカードコネクタ１１６ａの端子との嵌合負荷により、メモリーカード１０１がカードコネクタ１１６ａの正規の位置まで挿入される前にトグルバネ１１８の反力に逆らって挿入方向に移動してしまう恐れがある。しかし、メモリーカード１０１が正規の位置まで挿入されていない間は、規制ピン１０８と規制面１０２ｂが当接するため、カードコネクタ１１６ａは移動できない。
【００６１】
メモリーカード１０１がカードコネクタ１１６ａに対して正規の位置まで挿入されると、図１４のようにメモリーカード１０１で規制解除ピンが押され、ストッパーレバー１０７が回動する。この結果、規制ピン１０８と規制面１０２ｂの当接が回避され、カードコネクタ１１６ａは移動可能となる。
【００６２】
メモリーカード１０１を更に押すことにより、前記のごとくトグルバネ１１８の負荷が反転し、メモリーカード１０１を引きこんで、図１５のように挿入が完了する。
【００６３】
このような挿入規制機構を設けたことにより、たとえメモリーカード１０１とカードコネクタ１１６ａの嵌合負荷がばらついても、メモリーカード１０１の挿入が確実となり、より高品質な記録媒体着脱装置となる。
【００６４】
以上が本発明の実施の形態１であるが、本実施の形態１において、メモリーカード１０１は記録媒体であれば、必ずしもメモリーカードである必要はなく、信号の記録または読み出しができれば、必ずしも電気的接続で無くてもよい。例えば、磁気信号でも、光信号であってもよい。また、検出ＳＷ１１６ｃは必ずしも必要無い。
【００６５】
ドラム１１３の材料はデザイン的な目的から透明青のポリカーボネート樹脂としたが、必ずしも青である必要は無く、また透明である必要も無いし、ポリアセタールなど、他の材料でもかまわない。
【００６６】
同様にブラインダー１１４も色、材料は異なってもかまわないし、印刷の代わりに刻印であっても、また表示が無くても、本発明の効果は得られる。
【００６７】
また、ホルダー駆動金具バネ１２５は、スライド時の摩擦ロスなどの負荷に逆らって、ホルダー金具１１７を確実に移動させるために設けたものであり、ロスとなる負荷が軽ければ、必ずしも必要は無い。
【００６８】
さらに、ドラム１１３を着色／無色いずれでもかまわないが透明樹脂材料に限定し、その近傍に発光手段である発光ダイオード（ＬＥＤ）を配置し、このＬＥＤを発光／消灯させることにより、暗いところでの使用において、メモリーカード１０１の挿入／排出状態をより明確に示したり、デザイン的に装飾したりすることが出来る。もちろん、発光装置は必ずしもＬＥＤである必要はなく、その方法は問わない。
【００６９】
【発明の効果】
以上のように本発明は、記録媒体を挿入する開口部と挿入した記録媒体を隠す遮蔽部とを形成した円筒部材を有し、前記記録媒体を装着して信号の授受を行う記録媒体コネクタが記録媒体の挿入位置または排出位置何れかに付勢される反転付勢部材を設け、記録媒体コネクタの動きに連動して前記円筒部材を回動させることにより、記録媒体を挿入する動作のみで記録媒体を引き込み、円筒部材が自動的に回動して遮蔽されるので、操作性が良く、小型で品格・デザイン性に優れ、また不用意な破損も防止できるという優れた効果がある。
【図面の簡単な説明】
【図１】本発明の実施の形態１の記録媒体着脱装置の全体斜視図（カード挿入時）
【図２】本発明の実施の形態１の記録媒体着脱装置の全体斜視図（カード排出時）
【図３】本発明の実施の形態１の部分斜視図（ベースフレーム組み立て）
【図４】本発明の実施の形態１の部分斜視図（収納規制機構組み立て）
【図５】本発明の実施の形態１の部分斜視図（ドラムユニット組み立て）
【図６】本発明の実施の形態１の部分斜視図（カードＦＰＣ他組み立て）
【図７】本発明の実施の形態１の部分斜視図（トグルバネ取り付け）
【図８】本発明の実施の形態１の部分斜視図（ドラムユニット他取り付け）
【図９】本発明の実施の形態１の部分斜視図（カバー他取り付け）
【図１０】本発明の実施の形態１の部分斜視図（バネ類取り付け）
【図１１】本発明の実施の形態１の動作説明模式図（カード挿入時）
【図１２】本発明の実施の形態１の動作説明模式図（カード排出時）
【図１３】本発明の実施の形態１の挿入規制機構の動作説明図（カード挿入前）
【図１４】本発明の実施の形態１の挿入規制機構の動作説明図（カード挿入途中）
【図１５】本発明の実施の形態１の挿入規制機構の動作説明図（挿入完了）
【図１６】従来の記録媒体着脱装置の動作説明模式図（カード挿入時）
【図１７】従来の記録媒体着脱装置の動作説明模式図（カード排出時）
【符号の説明】
１０１  メモリーカード
１０２  ベースフレーム
１０３  ドラム駆動金具
１０４  ガイド軸
１０５  ホルダー金具
１０６  ホルダーガイド軸
１０７  ストッパーレバー
１０８  規制ピン
１０９  規制解除ピン
１１０  ストッパーアングル
１１１  レバー回動軸
１１２  ストッパーレバーバネ
１１３  ドラム
１１４  ブラインダー
１１５  ブラインダーバネ
１１６  カードＦＰＣ
１１７  ホルダー駆動金具
１１８  トグルバネ
１１９  アングル固定ビス
１２０  ＳＷ固定ビス
１２１  ドラムリターンバネ
１２２  カバー
１２３  カバー固定ビス
１２４  ドラム駆動金具バネ
１２５  ホルダー駆動金具バネ
１２６  操作つまみ
【図１】
0004779224.tif 000002
【図２】
0004779224.tif 000003
【図３】
0004779224.tif 000004
【図４】
0004779224.tif 000005
【図５】
0004779224.tif 000006
【図６】
0004779224.tif 000007
【図７】
0004779224.tif 000008
【図８】
0004779224.tif 000009
【図９】
0004779224.tif 000010
【図１０】
0004779224.tif 000011
【図１１】
0004779224.tif 000012
【図１２】
0004779224.tif 000013
【図１３】
0004779224.tif 000014
【図１４】
0004779224.tif 000015
【図１５】
0004779224.tif 000016
【図１６】
0004779224.tif 000017
【図１７】
0004779224.tif 000018